(57)【要約】【課題】特定の機器以外からの電波によって連動換気運転制御を実行せず、信頼性の高い換気装置を提供する。【解決手段】換気装置側で受信した機器用ＩＤコードが特定ＩＤコードと一致するときには連動換気運転制御を実行し、一致しないときには連動換気運転制御を実行せず、機器から換気装置に、機器側電子部品の定数に基づいて設定される識別コード、および、機器用ＩＤコードを含む、ＩＤコード送信用データを無線通信によって送信する暫定無線通信が可能で、換気装置において、暫定無線通信により受信したデータに含まれる機器側電子部品接続部に接続された機器側電子部品の定数に基づいて設定される識別コードが、換気装置側電子部品接続部に接続された換気装置側電子部品の定数に基づいて設定される識別コードと一致するとき、受信データに含まれる機器用ＩＤコードが特定ＩＤコードとして設定されるようにする。【選択図】図２
2018009710.tif 000002
【特許請求の範囲】
【請求項１】
換気を必要とする機器から送信される電波による通信用データを受信する信号受信部、および、換気運転を制御する制御部を備え、
前記信号受信部が前記機器から送信される換気運転開始用データを含む電波を受信すると前記制御部が換気運転を開始し、前記信号受信部が前記機器から送信される換気運転停止用データを含む電波を受信すると前記制御部が換気運転を停止する、連動換気運転制御を実行するように構成された換気装置であって、
前記換気運転開始用データおよび前記換気運転停止用データには、前記機器に設定された機器用ＩＤコードが含まれており、
前記信号受信部が受信した、前記通信用データに含まれる前記機器用ＩＤコードが、特定の機器に設定された機器用ＩＤコードである特定ＩＤコードと一致するときには前記制御部が前記連動換気運転制御を実行し、
前記信号受信部が受信した、前記通信用データに含まれる前記機器用ＩＤコードが前記特定ＩＤコードと一致しないときには前記制御部が前記連動換気運転制御を実行しないように構成されているとともに、
前記機器が、暫定無線通信用の機器側電子部品を接続する機器側電子部品接続部を備え、
当該換気装置が、暫定無線通信用の換気装置側電子部品を接続する換気装置側電子部品接続部を備えており、
前記機器から当該換気装置に対して、前記機器側電子部品接続部に接続された前記機器側電子部品の定数に基づいて設定される識別コード、および、前記機器用ＩＤコードを含む、ＩＤコード送信用データを無線通信によって送信する、暫定無線通信を行うことができるように構成され、
当該換気装置において前記暫定無線通信により受信したデータに含まれる前記機器側電子部品接続部に接続された前記機器側電子部品の定数に基づいて設定される識別コードが、前記換気装置側電子部品接続部に接続された前記換気装置側電子部品の定数に基づいて設定される識別コードと一致するとき、前記暫定無線通信により受信したデータに含まれる前記機器用ＩＤコードが、前記特定ＩＤコードとして設定されるように構成されていること
を特徴とする換気装置。
【請求項２】
前記通信用データが、前記換気運転における換気風量の大小に関するデータを含むことを特徴とする請求項１記載の換気装置。
【発明の詳細な説明】
【技術分野】
【０００１】
本発明は、換気装置に関し、詳しくは、例えば、調理機器などとともに用いられる換気装置に関する。
【背景技術】
【０００２】
煮物や揚げ物などの調理や、肉や魚などを焼くグリル料理などに用いられるガスコンロや、ガスグリルなどの加熱調理器として、近年、使用する際に、加熱調理器が使用される部屋（一般的には台所）に設けられた換気装置（レンジフード）を連動させて換気が行われるようにしたガス調理器が用いられるようになっている。
【０００３】
そして、特許文献１には、そのような換気を必要とするガスコンロなどの機器の使用と連動して換気運転を行う換気装置（レンジフード）が提案されている。
【０００４】
この換気装置の場合、換気を必要とする機器を使用した際、当該機器から送出される換気運転開始用の赤外線信号によって自動的に作動する、すなわち、連動換気運転制御を行うように構成されているので、換気を必要とする機器の使用によって生じた燃焼ガスなどを、機器が設置された部屋（一般的には台所）から外部に確実に排出することが可能になり、有意義である。
【先行技術文献】
【特許文献】
【０００５】
【特許文献１】特開２０１１−２２０５６２号公報
【発明の概要】
【発明が解決しようとする課題】
【０００６】
ところで、特許文献１の段落０１６２には、コンロ側と換気装置側の間の通信として、電波を用いた無線通信を行わせてもよい旨が記載されているが、コンロ側と換気装置側の間の通信として電波を用いた無線通信を行わせた場合、集合住宅などのように、複数の住戸が接近しており、同様のコンロと換気装置が各住戸に設置された場合、電波を用いた無線通信を行うときに、同一の部屋に設置されたコンロと換気装置との間で無線通信を行う場合には問題は生じないが、コンロと、当該コンロが設置された部屋とは別の部屋に設置された換気装置との間で無線通信が行われてしまうと、コンロを使用したときに当該コンロが設置された部屋に設置された換気装置（換気運転を行わせるべき換気装置）ではなく、コンロとは別の部屋に設置された換気装置が換気運転を行ってしまうという不具合が生じる。
【０００７】
また、通信媒体として通信可能な距離が３ｍ程度の微弱電波を用いた場合にも、特に集合住宅の場合には、例えば、隣接した２つの住戸のうち、一方の住戸に設置されたガスコンロと、他方の住戸に設置された換気装置とが、無線通信を行ってしまうおそれがあり、その場合には、上述のような不都合が生じることが十分に考えられる。
【０００８】
本発明は、上記問題点を解決するものであり、換気装置とペアリングされた特定の機器以外の機器から送信される電波によって上述の連動換気運転制御を実行してしまうという誤動作を確実に防止することが可能で、信頼性の高い換気装置を提供することを目的とする。
【課題を解決するための手段】
【０００９】
上記の目的を達成するために、本発明の換気装置は、
換気を必要とする機器から送信される電波による通信用データを受信する信号受信部、および、換気運転を制御する制御部を備え、
前記信号受信部が前記機器から送信される換気運転開始用データを含む電波を受信すると前記制御部が換気運転を開始し、前記信号受信部が前記機器から送信される換気運転停止用データを含む電波を受信すると前記制御部が換気運転を停止する、連動換気運転制御を実行するように構成された換気装置であって、
前記換気運転開始用データおよび前記換気運転停止用データには、前記機器に設定された機器用ＩＤコードが含まれており、
前記信号受信部が受信した、前記通信用データに含まれる前記機器用ＩＤコードが、特定の機器に設定された機器用ＩＤコードである特定ＩＤコードと一致するときには前記制御部が前記連動換気運転制御を実行し、
前記信号受信部が受信した、前記通信用データに含まれる前記機器用ＩＤコードが前記特定ＩＤコードと一致しないときには前記制御部が前記連動換気運転制御を実行しないように構成されているとともに、
前記機器が、暫定無線通信用の機器側電子部品を接続する機器側電子部品接続部を備え、
当該換気装置が、暫定無線通信用の換気装置側電子部品を接続する換気装置側電子部品接続部を備えており、
前記機器から当該換気装置に対して、前記機器側電子部品接続部に接続された前記機器側電子部品の定数に基づいて設定される識別コード、および、前記機器用ＩＤコードを含む、ＩＤコード送信用データを無線通信によって送信する、暫定無線通信を行うことができるように構成され、
当該換気装置において前記暫定無線通信により受信したデータに含まれる前記機器側電子部品接続部に接続された前記機器側電子部品の定数に基づいて設定される識別コードが、前記換気装置側電子部品接続部に接続された前記換気装置側電子部品の定数に基づいて設定される識別コードと一致するとき、前記暫定無線通信により受信したデータに含まれる前記機器用ＩＤコードが、前記特定ＩＤコードとして設定されるように構成されていること
を特徴としている。
【００１０】
本発明の換気装置においては、前記通信用データが、前記換気運転における換気風量の大小に関するデータを含むことが好ましい。
【発明の効果】
【００１１】
本発明の換気装置は、上述のように構成されているので、換気装置とペアリングされた特定の機器以外の機器から送信される電波によって連動換気運転制御を実行しまうという誤動作を確実に防止することができる。
【００１２】
また、本発明の換気装置において、通信用データが、換気運転における換気風量の大小に関するデータを含むようにした場合、機器の使用状態に応じて、換気風量を変更することが可能になるので、不必要な大風量や過少な小風量による、不適切な連動換気運転を防止することが可能になる。このような態様は、上記機器が、燃焼状態の変動を伴うことが多いガス調理器である場合、特に有意義である。
【図面の簡単な説明】
【００１３】
【図１】本発明の一実施形態にかかる換気装置（レンジフード）とともに用いられるガスコンロの斜視図である。
【図２】本発明の一実施形態にかかる換気装置（レンジフード）の切欠き正面図である。
【発明を実施するための形態】
【００１４】
以下、本発明の実施形態を示して、その特徴とするところをさらに詳しく説明する。
【００１５】
［実施形態］
この実施形態では、まず、使用時に本発明の実施形態にかかる換気装置を用いて換気が行われるように構成された、燃料ガスを熱エネルギー源とする加熱調理器（グリルが組み込まれたガスコンロ）について説明した後、本発明の換気装置の構成について説明する。
【００１６】
＜換気を必要とする機器であるガスコンロの構成＞
換気を必要とする機器であるガスコンロ１００は、図１に示すように、コンロ本体Ｈの上面部に、左右一対のコンロバーナ１を備え、コンロ本体Ｈの内部にグリルＧを備えている。
また、コンロ本体Ｈの前面には、グリル扉８が設けられている。
【００１７】
なお、このガスコンロ１００は、キッチンカウンタに形成したコンロ装着口に上方から挿入して組付ける、いわゆるビルトインタイプとして構成されており、コンロ本体Ｈの上部の周縁部には、キッチンカウンタに載置する鍔部が形成されている。
【００１８】
コンロ本体Ｈの上部には、ガラス製の天板２が装備され、天板２の後部側箇所には、グリルＧの調理排気を排出するためのグリル排気口３が形成されている。
また、天板２の上部には、コンロバーナ１にて加熱される鍋などの被加熱物を載置するための五徳４が、左右のコンロバーナ１のそれぞれに対応して設けられている。
【００１９】
なお、コンロバーナ１の中央部には、図１に示すように、鍋などの被加熱物の存在および被加熱物の底壁温度を検出するコンロバーナセンサ１Ａが設けられている。
【００２０】
コンロ本体Ｈの上部に装備した天板２の手前側箇所には、左右のコンロバーナ１のそれぞれに対する左右一対のコンロ用操作具５が、上方に離脱させることができるように設けられており、コンロ本体Ｈの前面部の右側箇所には、グリルＧに対するグリル用設定操作部６が、下方側を支点にした前後揺動により開閉することができるように設けられている。なお、図１は、グリル用設定操作部６が開いた状態を示している。
【００２１】
ちなみに、一対のコンロ用操作具５のそれぞれは、前後や左右のスライド操作および左右の回転操作により、点火および消火の指令、目標火力の指令、目標温度に維持する自動温度調理の指令など、各種の指令情報を指令するように構成されている。
【００２２】
グリル用設定操作部６は、複数の指令スイッチを備えて、それらの複数の指令スイッチの操作により、後述する加熱調理用のグリル加熱手段としてのグリルバーナ（図示せず）に対する点火および消火の指令、目標火力の指令、調理モードの指令など、各種の指令情報を指令するように構成されている。
【００２３】
天板２の上部には、ガスコンロ１００の使用開始（コンロバーナ１による加熱の開始、または、グリルバーナによる加熱の開始）に伴って、換気装置（レンジフード）１１０（図２参照）に対して換気運転開始用の電波による無線信号を送出し、ガスコンロ１００の使用終了（コンロバーナ１による加熱中、あるいは、グリルバーナによる加熱中の状態から、コンロバーナ１およびグリルバーナのいずれも加熱を停止した状態への移行）に伴って、換気装置（レンジフード）１１０に対して換気運転停止用の電波による無線信号を送出する信号送出部１００Ｓが設けられている。
【００２４】
＜換気装置（レンジフード）の構成＞
図２は、上述の換気を必要とする機器であるガスコンロ１００とともに用いられる、本発明の実施形態にかかる換気装置（レンジフード）１１０を示す切欠き正面図である。
【００２５】
このレンジフード１１０は、排気用ファン１０１を駆動するモータ１０７に通電して、排気用ファン１０１を駆動することにより、フード部１０３から吸い込んだ空気を、排気ダクト１０６を経由して、台所の外部に排出するように構成されている。
【００２６】
一般的には、レンジフード１１０の排気ダクト１０６に延長用排気筒（図示せず）が接続され、レンジフード１１０のフード部１０３から吸引された台所内の空気は、排気ダクト１０６から図示しない延長用排気筒を経て、台所の外部に排出される。
【００２７】
また、このレンジフード１１０は、換気を必要とする機器であるガスコンロ１００から送出される換気運転開始用の電波による無線信号、および、ガスコンロ１００の信号送出部１００Ｓから送出される換気運転停止用の電波による無線信号を受信する信号受信部２００Ｓを備えている（図２）。
【００２８】
そして、信号受信部２００Ｓが、ガスコンロ１００の信号送出部１００Ｓからの、換気運転開始用の電波による無線信号を受信すると、制御部（図示せず）が、排気用ファン１０１を駆動するモータ１０７に通電して、排気用ファン１０１を駆動することで、換気運転を開始するように構成されている。
【００２９】
また、排気用ファン１０１を駆動させた換気運転の実行中に、信号受信部２００Ｓが、ガスコンロ１００の信号送出部１００Ｓからの、換気運転停止用の電波による無線信号を受信すると、制御部（図示せず）が、排気用ファン１０１を駆動するモータ１０７への通電を停止して、排気用ファン１０１の駆動を停止して換気運転を停止するように構成されている。
【００３０】
＜特徴的構成＞
次に、本発明の実施形態にかかる換気装置の特徴的な構成について説明する。
【００３１】
レンジフード１１０には、上述のように、換気を必要とする機器であるガスコンロ１００に設けられた信号送出部１００Ｓ（図１）から送信される電波による通信用データを受信する信号受信部２００Ｓ（図２）、および、換気運転を制御する制御部（図示せず）が設けられている。
【００３２】
レンジフード１１０は、信号受信部２００Ｓがガスコンロ１００の信号送出部１００Ｓから送信される換気運転開始用データを含む電波を受信すると、レンジフード１１０が備える制御部が換気運転を開始し、また、信号受信部２００Ｓがガスコンロ１１０の信号送出部１００Ｓから送信される換気運転停止用データを含む電波を受信すると、レンジフード１１０が備える制御部が換気運転を停止する形態で、レンジフード１１０が備える制御部が、ガスコンロ１００との連動換気運転制御を実行するように構成されている。
【００３３】
なお、換気運転開始用データおよび換気運転停止用データには、ガスコンロ１００に設定されたガスコンロ用ＩＤコード（機器用ＩＤコード）が含まれる。
【００３４】
そして、受信した通信用データに含まれるガスコンロ用ＩＤコードが特定のガスコンロ（レンジフードとペアリングされたガスコンロ）１００に設定された特定ＩＤコードと一致するとき、レンジフード１１０が備える制御部が連動換気運転制御を実行する。
【００３５】
一方、受信した通信用データに含まれるガスコンロ用ＩＤコード（機器用ＩＤコード）が上記特定ＩＤコードと一致しないときには、レンジフード１１０に備える制御部は連動換気運転制御を実行しない。
【００３６】
すなわち、受信した通信用データに含まれるガスコンロ用ＩＤコードが特定のガスコンロ（レンジフードとペアリングされたガスコンロ）１００に設定された特定ＩＤコードと一致するときにのみ連動換気運転制御が実行され、一致しないときには連動換気運転制御が実行されることがないように構成されている。
【００３７】
そして、レンジフード１１０には、換気装置側電子部品として、固定抵抗器を接続するための、換気装置側電子部品接続部２５０が配設されている（図２参照）。
【００３８】
また、ガスコンロ１００には、ガスコンロ側電子部品（機器側電子部品）として、固定抵抗器を接続するための、ガスコンロ側電子部品接続部（機器側電子部品接続部）１５０が配設されている（図１参照）。
【００３９】
そして、ガスコンロ側電子部品接続部（機器側電子部品接続部）１５０にガスコンロ側電子部品（機器側電子部品）である固定抵抗器（例えば、１２１ｋΩ±１％、図示せず）を接続し、換気装置側電子部品接続部２５０に換気装置側電子部品として固定抵抗器（例えば、１２１ｋΩ±１％、図示せず）を接続し、ガスコンロ１００のグリル用設定操作部６（図１）を用いて所定の操作（複数のスイッチの同時押しなどが所定の操作として好適であるが、特に限定されない）を行うことにより、ガスコンロ１００とレンジフード１１０との無線通信（暫定無線通信）を開始するように構成されている。
【００４０】
暫定無線通信において、ガスコンロ１００からは、
（ａ）ガスコンロ側電子部品接続部（機器側電子部品接続部）１５０に接続されたガスコンロ側電子部品（機器側電子部品）の定数（１２１ｋΩ）に基づいて設定される識別コード（２進数で０００１  ００１０  ０００１、左記２進数を４桁毎に１０進数に変換すると１２１）、および、
（ｂ）ガスコンロ１００に予め設定されているガスコンロ用ＩＤコード（機器用ＩＤコード）を含む、ＩＤコード送信用データ
がレンジフード１１０の信号受信部２００Ｓに送信される。
【００４１】
一方、レンジフード１１０においては、この暫定無線通信により信号受信部２００Ｓがガスコンロからのデータを受信する。そして、受信したデータに含まれる機器側電子部品接続部１５０に接続された機器側電子部品の定数に基づいて設定される識別コード（上述の１２１）と、換気装置側電子部品接続部２５０に接続された換気装置側電子部品の定数（１２１ｋΩ）に基づいて設定される識別コード（２進数で０００１  ００１０  ０００１、左記２進数を４桁毎に１０進数に変換すると１２１）とが一致することから、、上記ＩＤコード送信用データに含まれるガスコンロ用ＩＤコード（機器用ＩＤコード）が、特定ＩＤコードとして設定される。
【００４２】
これに対し、もし、ガスコンロ側電子部品接続部（機器側電子部品接続部）１５０にガスコンロ側電子部品（機器側電子部品）（例えば、１２１ｋΩ±１％の固定抵抗器）を接続し、換気装置側電子部品接続部２５０に換気装置側電子部品（例えば、１７８ｋΩ±１％の固定抵抗器）が接続された場合には、ガスコンロ１００からは、ガスコンロ側電子部品接続部（機器側電子部品接続部）１５０に接続されたガスコンロ側電子部品（機器側電子部品）の定数（１２１ｋΩ）に基づいて設定される識別コード（２進数で０００１  ００１０  ０００１、左記２進数を４桁毎に１０進数に変換すると１２１）、および、ガスコンロ用ＩＤコード（機器用ＩＤコード）を含む、ＩＤコード送信用データが、この暫定無線通信によって送信される。
【００４３】
一方、レンジフード１１０において、暫定無線通信により受信される、上述のガスコンロ側電子部品（機器側電子部品）の定数（１２１ｋΩ）に基づいて設定される識別コードは、換気装置側電子部品接続部２５０に接続された換気装置側電子部品の定数（１７８ｋΩ）に基づいて設定される識別コード（２進数で０００１  ０１１１  １０００、左記２進数を４桁毎に１０進数に変換すると１７８）と一致しないので、このときのＩＤコード送信用データに含まれガスコンロ用ＩＤコード（機器用ＩＤコード）は、特定ＩＤコードとして設定されない。
【００４４】
なお、上述のガスコンロ側電子部品（機器側電子部品）および換気装置側電子部品の接続は、ガスコンロ１００の設置の際、あるいは、レンジフード１１０の設置の際に、設置業者、または、使用者によって行われるものであり、レンジフード１１０が備えている運転制御部が、ガスコンロ１００からガスコンロ用ＩＤコード（機器用ＩＤコード）を取得し、このガスコンロ用ＩＤコードが特定ＩＤコードとして設定された後に、ガスコンロ側電子部品（機器側電子部品）および換気装置側電子部品は取り外されるので、レンジフード１１０やガスコンロ１００の使用時においてガスコンロ側電子部品（機器側電子部品）および換気装置側電子部品が邪魔になることはない。
【００４５】
また、ガスコンロ（換気を必要とする機器）１００側で行われる暫定無線通信開始用の操作としては、例えば、グリル用設定操作部６に設けた専用の通信開始用スイッチ（図示せず）の操作、グリル用設定操作部６に設けられたグリル用の複数の設定スイッチ（図示せず）の同時押しなど、種々の形態を採用することが可能であり、その形態に特に制約はない。
【００４６】
なお、上述のような無線通信の方式としては、周知の種々の通信方式が採用可能であり、これ以上の詳細な説明は省略する。
【００４７】
この実施形態の換気装置は、上述のように構成されており、暫定無線通信によってレンジフード１１０とペアリングされたガスコンロ１００以外の機器から送信される電波によってレンジフード１１０が連動換気運転を実行してしまうという誤動作を適確に防止することができる。
【００４８】
また、この実施形態では、ガスコンロ１００から送信され、レンジフード１１０が受信する電波に含まれる通信用データに、レンジフード１００の換気運転における換気風量の大小に関するデータを含むように構成されている。
【００４９】
その結果、ガスコンロ１００の使用状態に応じて、レンジフード１１０の換気風量を自動的に調節することができるため、レンジフード１１０における不必要な大風量による換気や過少な小風量による連動換気運転を防止することが可能になる。
【００５０】
因みに、このような態様は、この実施形態の場合のように、換気を必要とする機器がガスコンロ１００のような、燃焼状態の変動を伴うことが多いガス調理器である場合に、特に有意義である。
【００５１】
ただし、ガスコンロ１００から送信され、レンジフード１１０が受信する電波に含まれる通信用データに、レンジフード１１０の換気運転における換気風量の大小に関するデータを含ませるようにした構成は任意の構成であり、ガスコンロ１００から送信され、レンジフード１１０が受信する電波に含まれる通信用データに、レンジフード１１０の換気運転における換気風量の大小に関するデータが含まれないように構成することも可能である。  
【００５２】
［別実施形態］
（１）上記実施形態では、換気装置１１０が、フード部１０３を備えるレンジフードである場合について説明したが、換気装置として、フード部１０３を備えない換気扇を用いるように構成してもよい。
【００５３】
（２）また、上記実施形態では、換気を必要とする機器がガスコンロである場合について説明したが、本発明において、換気を必要とする機器の種類に特別の制約はなく、ガスコンロ以外にも、電気式のコンロや、ガス燃焼式の湯沸かし器など、ガスコンロ以外の機器に対しても、本発明を適用することが可能である。なお、電気式のコンロの場合において換気装置を作動させるのは、燃焼排ガスによる室内汚染を解消する目的ではなく、調理物からの煙、たとえば油煙による汚染を防ぐことを目的とするものである。
【００５４】
（３）換気連動運転を実行する際に、換気装置が、送風機（排気用ファン）のＯＮ／ＯＦＦに関するデータ、単位時間当たりの換気風量に関するデータを含む運転状態に関するフィードバックデータを電波によって送信することができるように構成するとともに、換気を必要とする特定機器としてのガスコンロが、上記運転状態に関するフィードバックデータを含む電波を受信することができるように構成し、ガスコンロが、必要な換気風量のデータを含む換気運転開始用データを送信した後、所定時間が経過したとき、ガスコンロが送信した「必要な換気風量」で換気が実行されているというデータ（換気風量の大小に関するフィードバックデータ）を受信しない場合、ガスコンロの運転を停止する、あるいは、ガスコンロから警報を発するように構成してもよい。
このように構成した場合、望ましい換気が行われていない状態でガスコンロの燃焼が継続することを回避し、あるいは、使用者がガスコンロの燃焼状態を確認することを促すことが可能になり、安全性を向上させることができる。
【００５５】
（４）ガスコンロ側電子部品接続部（機器側電子部品接続部）１５０に接続されるガスコンロ側電子部品（機器側電子部品）の定数や、換気装置側電子部品接続部２５０に接続される換気装置側電子部品の定数は上述の値に限定されるものではなく、種々の定数のものを用いることが可能である。
【００５６】
（５）上記実施形態では、ガスコンロ側電子部品（機器側電子部品）および換気装置側電子部品として、固定抵抗器が用いられているが、固定抵抗器に代えて、コンデンサやインダクタを用いてもよい。
【００５７】
なお、ガスコンロ側電子部品（機器側電子部品）および換気装置側電子部品としてコンデンサが用いられる場合は、ガスコンロ側電子部品および換気装置側電子部品の定数はコンデンサの静電容量で表され、ガスコンロ側電子部品及び換気装置側電子部品としてインダクタが用いられる場合は、ガスコンロ側電子部品および換気装置側電子部品の定数はインダクタのインダクタンスで表されることになる。
【００５８】
本発明は、さらにその他の点においても上記実施形態に限定されるものではなく、本発明の範囲内において種々の変形を加えることが可能である。
【符号の説明】
【００５９】
１          左右一対のコンロバーナ
１Ａ        コンロバーナセンサ
２          天板
３          グリル排気口
４          五徳
５          左右一対のコンロ用操作具
６          グリル用設定操作部
８          グリル扉
１００      ガスコンロ
１００Ｓ    信号送出部
１０１      排気用ファン
１０３      フード部
１０６      排気ダクト
１０７      モータ
１１０      換気装置（レンジフード）
２００Ｓ    信号受信部
１５０      ガスコンロ側電子部品接続部（機器側電子部品接続部）
２５０      換気装置側電子部品接続部
Ｇ          グリル
Ｈ          コンロ本体
【図１】
2018009710.tif 000003
【図２】
2018009710.tif 000004